(57)【特許請求の範囲】
【請求項１】
密閉容器（Ａ）内へ水を満杯になるまで充填し、次いで密閉容器（Ａ）内へ水素ガス若しくは混合気体を導入することで水の大部分を密閉容器（Ａ）から排出し、密閉容器（Ａ）の内圧が大気圧以上の圧力、Ｐｌ、になるまで水素ガス若しくは混合気体を充填し、次いで水、ａＬ、を密閉容器（Ａ）の上部に設置した加湿用スプレーノズルを通して噴霧状に密閉容器（Ａ）内へ圧力が、Ｐｕ、になるまで加圧注入して該水に水素を溶解させて水素水を生水（生水１）し、次いで密閉容器（Ａ）の排出口から利用のために大部分の水素水を採水した後、水素ガス若しくは混合気体を密閉容器（Ａ）へ導入することなく、再度スプレーノズルを通して水、ｂＬ、を密閉容器（Ａ）内へ加圧注入して水素水を生水（生水２）して利用し、この生水２、利用サイクルを複数回繰り返す水素水の生水方法において、密閉容器（Ａ）の気体の注入口が容器（Ｂ）に接続されており、容器（Ｂ）内で水素化ホウ素金属塩若しくはその組成物と酸水溶液を反応させて水素ガスを発生させて密閉容器（Ａ）に水素ガス若しくは混合気体を導入する水素水の生水方法。
【発明の詳細な説明】
【技術分野】
【０００１】
本発明は飲料用の水素水の生水方法に関するもので、スポーツジムや銭湯などの健康促進施設や食堂等に設置して利用するものである。
【背景技術】
【０００２】
炭酸ガスを飲料水などに溶解した清涼飲料水が古くから知られている。最近、水素ガスを溶解した水が人の健康に資するということで市場に登場し始めた。水素ガスを溶解した水は水素水と呼ばれているが、その製造方法は大きく２種類に分類される。一つは、工場などで飲料水に水素ガスを加圧溶解してそれを容器に充填する方法である（特許文献１）。他の方法は水と反応して水素を発生するマグネシウム金属粉末などの水素発生剤を用いて、水の入った容器内に水素発生剤を投入して密閉し、発生する水素を水に溶解させて水素水を調整する方法である（特許文献２）。
【０００３】
水素は気体中で一番分子量が小さくそのために水素水を調整して容器に密閉しても、保存中に気散してしまう欠点がある。従って、工場で水素水を調整して容器に詰めても保存や流通過程で水素が容器から気散してしまい、消費者の手元に渡った時点ではかなり水中の溶存水素濃度（ＤＨと略す）が低下したものとなってしまう欠点があった。  一方、水素発生剤を使用する方法は、水素水を飲む直前に水素水を調整することが出来るので上記のような課題は解決されるが、マグネシウム金属は水との反応が遅く水素水を調整するのに時間を要したり、未反応の金属残渣が水中に残存する欠点があった。
【０００４】
本発明者らは最近、水との反応が早い水素化マグネシウム（ＭｇＨ２）や水素化カルシウム（ＣａＨ２）などの水素化合物を用いた新規な水素発生剤を開発してこれらの欠点を解決した（特許文献３）。しかしながら、これらの水素発生剤を飲料水に溶解すると水素以外に水との反応生成物が飲料水に残存するために、水素発生剤として反応生成物が飲料しても安全なものである必要があった。
【先行技術文献】
【特許文献】
【０００５】
【特許文献１】特開２００５−１７７７２４号公報
【特許文献２】特開２００５−５２８１１号公報
【特許文献３】ＷＯ２００７／０５５１４６  Ａ１号公報
【発明の概要】
【発明が解決しようとする課題】
【０００６】
家庭や一般の健康促進施設、社員食堂などに設置して、溶存水素濃度の高い安全な水素水を手軽に且つ経済的に生水する生水方法を提供する。
【課題を解決するための手段】
【０００７】
上記課題は水素ガスが水に僅かしか溶解しないが、その僅かに溶解した水素を含む水素水が水に対して大きな変化を及ぼすことから完成したものである。即ち、上記課題は密閉容器（Ａ）内へ水を満杯になるまで充填し、次いで密閉容器（Ａ）内へ水素ガス若しくは混合気体を導入することで水の大部分を密閉容器（Ａ）から排出し、密閉容器（Ａ）の内圧が大気圧以上の圧力、Ｐｌ、になるまで水素ガス若しくは混合気体を充填し、次いで水、ａＬ、を密閉容器（Ａ）の上部に設置した加湿用スプレーノズルを通して噴霧状に密閉容器（Ａ）内へ圧力が、Ｐｕ、になるまで加圧注入して該水に水素を溶解させて水素水を生水（生水１）し、次いで密閉容器（Ａ）の排出口から利用のために大部分の水素水を採水した後、水素ガス若しくは混合気体を密閉容器（Ａ）へ導入することなく、再度スプレーノズルを通して水、ｂＬ、を密閉容器（Ａ）内へ加圧注入して水素水を生水（生水２）して利用し、この生水２、利用サイクルを複数回繰り返す水素水の生水方法において、密閉容器（Ａ）の気体の注入口が容器（Ｂ）に接続されており、容器（Ｂ）内で水素化ホウ素金属塩若しくはその組成物と酸水溶液を反応させて水素ガスを発生させて密閉容器（Ａ）に水素ガス若しくは混合気体を導入する水素水の生水方法で解決される。
【発明の効果】
【０００８】
本発明の生水方法により、水素ガスを水に溶解させることにより溶存水素濃度の高い安全な水素水が簡便に得られるようになった。また、水素発生剤の反応生成物が水に溶解しないため、選択幅の広い水素発生剤が使用可能となり高圧の水素ボンベを使用しなくても手軽に水素水を生水することが出来るようになった。さらに、容器内の水素を繰り返し使用することで経済的な水素水の生水方法が提供できた。
【図面の簡単な説明】
【０００９】
【図１】図１は本発明の水素水の生水装置容器（Ａ）の断面図の１例である。
【図２】図２は本発明の水素水の生水装置に於いて別の態様を示す装置の断面図の１例である。
【図３】図３は本発明の水素水の生水装置で容器（Ａ）と（Ｂ）を連結した装置の断面図の１例である。
【図４】図４は本発明の装置及び方法で得られた容器（Ａ）の加圧時間と経時的に採水された水素水の溶存水素濃度（ＤＨ）の関係を示した図である        （実施例１）。
【図５】図５は本発明の装置及び方法で得られた容器（Ａ）の加圧時間と採水に伴う容器（Ａ）の内圧の関係を示した図である（実施例１）。
【図６】図６は本発明の別の態様で生水された水素水の積算採水量とＤＨの関係を示した図である（実施例２）。
【図７】図７は本発明のフロート式取水口を装備した生水装置の効果を示すための図で水素水の積算採水量とＤＨの関係を示した図である（実施例１，２）。
【図８】図８は本発明の別の態様で生水された水素水の積算採水量とＤＨの関係を示した図である（実施例３）。
【図９】図９は本発明の振動装置を装備した生水装置の効果を示した図で水素水の積算採水量とＤＨの関係を示した図である（実施例１，３）。
【図１０】図１０は本発明の別の態様で生水された水素水の積算採水量とＤＨの関係を示した図である（実施例４）。
【図１１】図１１は本発明の別の態様で生水された水素水の積算採水量とＤＨの関係を示した図である（実施例５）。
【図１２】図１２は本発明のスプレーノズルを装着した生水装置の１例である（実施例６）。
【図１３】図１３は積算採水量と水素水の溶存水素濃度（ＤＨ）の関係である（実施例６）
【図１４】図１４は積算採水量と容器（Ａ）の内圧Ｐｌ、Ｐｕの関係である（実施例６）
【発明を実施するための形態】
【００１０】
図１〜図３並びに図１２に示した本発明の水素水の生水装置を用いて本発明の生水方法を説明する。図１に於いて（Ａ）は密閉容器で水（１）と上部空間に存在する水素ガス若しくは水素ガスを含む混合気体（以降、混合気体と省略する）を接触させて水に水素を溶解させて水素水を生水する装置である。幾つかの水素水の生水方法があるがその一つについてまず説明する。図３の装置で容器（Ａ）にはフロート式取水口（４）、容器（Ｂ）には水素発生剤が収納されていない装置とする。配管（９）、配管（６）のバルブは開にして、水の注入口に接続された配管（２）から水道水などの飲料水を容器（Ａ）にその容積の約8割程度、ａＬの量を充填してバルブを閉とする。
【００１１】
容器（Ｂ）の配管（１３）を水素ボンベに接続して配管（１２）のバルブを閉とし、配管（１１）、（６）のバルブを開として水素ガスを容器（Ｂ）から容器（Ａ）へ加圧供給する。この場合、水素ガスは容器（Ａ）の底部に位置する気体拡散装置を通して微細な気泡となって水中を上昇して容器（Ａ）の上部空間に集合する。容器（Ａ）、（Ｂ）の内圧がＰｕとなった時点で配管（１３）のバルブを閉として水素ガスの供給を停止する。Ｐｕが高いほど水素水のＤＨは高くなるが数気圧以下が安全性の面で好ましい。
【００１２】
Ｐｕに加圧してから放置すると水素は上部の気液接触界面を通して水へ溶解するが、気体拡散装置の効果で加圧過程でも溶解は進行するので数十分程度経過してから排出口のバルブを開いて水素水を採水することが好ましい。水素水の採水を行うと容器（Ａ）は減圧となるので容器（Ｂ）から水素ガスが気体拡散装置を通して供給されるので、採水が進行するにつれて水素水のＤＨは高くなる。
【００１３】
採水の進行と共に容器の内圧が低下して採水速度も遅くなるので容器内に水を一部残した状態で1回目の採水は終了する。この時点の内圧、Ｐｌは０．１〜０．５気圧の範囲が好ましい。ついで配管（９）と（１２）を配管（１６）で接続してそれぞれのバルブを開とし、配管（６）、（１１）のバルブを閉として配管（２）から水を加圧注入する。注入量は初期の圧力Ｐｕになるまで又は液面計が容器に付属している場合は初期の液量、ａＬと同じ量とする。配管（９）、（１２）のバルブを閉、配管（６）、（１１）のバルブを開として1回目と同様にして2回目の水素水を排水口から採水する。
【００１４】
水素の室温近辺での水への溶解度は１気圧で１．６ｐｐｍ（重量比）程度と非常に小さい。従って例えば１０Ｌの水に１気圧の水素で飽和まで溶解させた場合、その水素の重量は約０．０１６ｇ（０．００８モル）でありそれを容積に換算すると標準状態で１７９ｍｌとなる。従って、マスバランス的には容器（Ａ）、（Ｂ）に新規に水素を追加しなくても、例えば１回０．５モルの水素を充填すれば６２５Ｌの飽和水素水を理論的に得ることが出来る。
【００１５】
一方、１．６ｐｐｍの水素を含む水素水はほとんど水素を溶解していない水道水に比べてその特性が大きく変化する。その物性の代表的な値としてよく酸化還元電位（ＯＲＰと略す）が用いられる。例えば水道水では８００ｍｖ前後のＯＲＰを示すが溶存水素濃度（ＤＨ）が１．６ｐｐｍの水素水は−３００ｍｖ以下の値を示しＯＲＰ的には強力な還元性を持った水に変化する。
【００１６】
水素は分子量が小さいために水中への拡散速度が速いと考えられる。従って、容器（Ａ）内で上部の水面から水素を加圧しても可なり早い速度で容器（Ａ）の下部に位置する排水口まで水素が到達してＤＨの高い水素水が得られる。本装置では水素の水への溶解を促進するために気体拡散装置を装備しているが、更に上部からの水素溶解も重要な工程である。しかしながら、拡散にはやはり時間がかかるので高いＤＨを有する水素水を採水するのは水を充填してからしばらくは採水を待つのが好ましい。
【００１７】
気体拡散装置としては例えば微細な連通細孔を有する焼結体などが好ましく図１では気体拡散装置は１個しか示していないが、配管（７）から分岐させて複数個設置することで、水素の飲料水への溶解を促進することが出来る。
【００１８】
もう一つの方法は図１に示したように水面近辺に取水口（４）を有する配管（５）を設け、その配管の他端を排水口配管（３）に接続する機構（フロート式取水口）を容器（Ａ）内に設ける装置を提案した。取水口は浮状物に配管を接続する事により水面が低下するとそれに応じて低下する機構を有する。これにより水面近傍の水が排水口から採水できるため水素の拡散時間の短縮が図られ高濃度の水素水が水の充填後に短時間で得ることが出来る。
【００１９】
図２は容器（Ａ）を水平方向に振動する台車（１０）の上に搭載して容器Ａを振動させる水素水の生水装置を示している。容器（Ａ）を振動することで水が攪拌されて水素が迅速に水に溶解して拡散する。容器（Ａ）内の水を攪拌する機構はいろいろ考えられるが水平方向の振動が機構的に簡単で好ましい。往復運動の振幅や周波数は容器Ａの大きさによって適当に選択される。２０Ｌ程度の容器（Ａ）では振幅として１０ｃｍ程度、周期として６０サイクル／分程度で十分な効果が得られることが後述の実施例で分かった。台車を振動させるには電動モーターを使用したカム方式など種々考えられる。
【００２０】
水素と空気の混合気体は広い混合割合で発火点があると水素爆発を起す危険がある。そのために、容器（Ａ）や（Ｂ）に充填する水素ガスは１００％水素に近いもの乃至は窒素ガスとの混合気体が望ましい。１００％に近い水素ガスを充填するには、容器（Ａ）、（Ｂ）の空間を真空ポンプなどで排気して水素ガスを導入することで達成できる。もう一つの方法は最初に容器（Ａ）を水で満杯にして、次いで容器（Ａ）に水素ガスを導入しながら容器（Ａ）の排水口より水を排水する方法である。排水により発生する容器（Ａ）の空間に水素ガスのみが水素ボンベあるいは容器（Ｂ）から供給することが出来る。この方式は真空ポンプを使用しないので簡便で好ましい。
【００２１】
次に図１２の装置による水素水の生水方法について説明する。この装置は図１〜３の装置と異なり、容器（Ａ）の水の注入口に加湿用のスプレーノズル（１７）が装着されている。そして水素ガス若しくは混合気体が充填された雰囲気内へスプレーノズルより水が噴霧状となって加圧注入される。気液接触面積が非常に大きいので噴霧状の水滴が凝集して水になった時点では高濃度の水素を溶解した水素水になる。
【００２２】
本装置の場合も最初に容器内を１００％近い水素を充填するには２つの方法がある。一つは容器内を真空にして水素ガスを導入する方法であり、他の方法は容器内を水で満杯として水素ガスを容器に加圧導入すると同時に、容器の排水口から水を排水する方法である。後者の場合容器（Ａ）の液面計（１８）で排水量を確認しながら残液を１部残して排水を停止して引き続き容器（Ｂ）若しくはボンベより水素ガスを容器（Ａ）に圧力Ｐｌになるまで加圧供給する。
【００２３】
次いで、スプレーノズルより水を液面計で確認しながらａＬ加圧注入して圧力Ｐｕを確認する。この時点で第１回の水素水の生水（生水１）が完了する。この水素水を液面計のレベルを確認しながら排水口から採水して利用する。液面計のレベルが決められた位置で採水を停止して、（生水１）と同様にしてスプレーノズルより水をｂＬ加圧注入して２回目の生水（生水２）を行う。第１回目の注水量、ａＬと２回目の注水量、ｂＬは同じでも異なっていても良い。
【００２４】
スプレーノズルは水を噴霧状に分散させるためのエネルギーを必要とするので、Ｐｕより大きな加圧注入圧が必要である。従って、Ｐｕをあまり大きくすると加圧注入に長時間を要する。一般的にはＰｕとし０．２（ＭＰａ）以下が好ましく、Ｐｌとして０．０５（ＭＰａ）以下が好ましい。生水を行う回数が増加するにつれて容器（Ａ）内の水素は消費されるのでＰｕ，Ｐｌは暫時低下して行く。この低下は僅かであるがＰｕが低下すると水素水のＤＨも低下するので、途中で容器（Ｂ）から水素ガスを新規に容器（Ａ）へ供給してＰｕ，Ｐｌを初期の値へ戻すことが好ましい。
【００２５】
次に容器（Ｂ）に水素発生剤を充填して水素ガスを発生させてそれを容器（Ａ）へ導入する方法について説明する。水素発生剤としてはマグネシウム金属やアルミニウム金属の粉末が酸性の水と反応して水素を発生する。また、水素化リチウムや水素化ナトリウムなどの水素化アルカリ金属、水素化カルシウム（ＣａＨ２）や水素化マグネシウム（ＭｇＨ２）などの水素化アルカリ土類金属なども水との反応速度が速くて好ましい水素発生剤である。更に、水素化ホウ素ナトリウムや水素化ホウ素カリウムなどの水素化ホウ素金属塩も酸性の水と反応して大量の水素を発生するので好ましい。
【００２６】
水素化リチウムや水素化カルシウムは水との反応が特に激しく微量の水分でも反応が進行してしまうので保存や取り扱いが困難である。そこでその反応速度を遅くするためにポリエチレングリコール（ＰＥＧ）などの水溶性化合物で溶融・包埋して用いるのが取り扱い易く好ましい。水素化ホウ素ナトリウムも非常に潮解性があり同様にＰＥＧなどで包埋することで取り扱いが容易となり好ましい。その場合、加水分解の触媒となる固体有機酸や塩化コバルトなどを同時に混合して包埋することで酸性の水を使用しなくても水を添加するだけで水素を発生するので好ましい水素発生剤となる。
【００２７】
図３に示したように予め必要な水素量を計算して所定量の水素発生剤（１４）をビーカ（１５）にいれて容器（Ｂ）内へ収納する。ここで１００％水素ガスの発生を必要とする場合配管（１１）、（１２）のバルブを閉として配管（１３）を真空ポンプに接続して容器内を脱気する。次いで、配管（１３）をチューブに接続してその端を水の入ったメスシリンダーの底に沈める。配管（１３）のバルブを徐々に開いてメスシリンダー内の水をビーカー内へ注入して水素発生剤と反応させる。容器（Ｂ）の内圧が上昇した時点で、バルブを開いて容器（Ａ）へ水素を導入する。
【００２８】
この水素発生剤を用いる方法は水素ボンベなどの高圧設備を必要としないので一般の家庭や健康施設などには設置容易な設備である。  容器（Ａ）の大きさは設置場所における水素水の利用頻度によって適宜選択されるが、数Ｌから数十Ｌの範囲が好ましい。また材質は数気圧の圧力に耐える構造が必要でステンレスやアルミニウムなどの金属材料以外にガラス繊維で強化されたプラスチック複合材料（ＦＲＰ）などを用いて成形することが出来る。容器（Ｂ）についても容器（Ａ）と同じく耐圧性が要求される。その容積は大きいと多量の水素が必要となるので小さいのが好ましいが、容器（Ａ）の１／３から１／３０の範囲が好ましい。
【００２９】
本発明の方法では容器（Ａ）に２回目以降は水を加圧して充填する必要がある。家庭で使用できる水道水は数気圧の水圧が蛇口であるので、その蛇口から直接配管を通して容器（Ａ）へ飲料水を加圧供給することが出来る。飲料水として水道水以外の水、例えば各地の名水と言われる天然水やミネラル水などを利用する場合は、別途水のタンクを用意してコンプレッサーやポンプなどで容器（Ａ）へ水を加圧供給することが出来る。
【００３０】
以下に実施例を援用して本発明をさらに説明するが、本発明の技術的範囲はこれらの実施例に限定されるものではない。なお実施例で示される溶存水素濃度（ＤＨ）はガスクロマトグラフィー法で測定された値である。
【実施例１】
【００３１】
ステンレス製の円筒状の容器（Ａ）、（Ｂ）を用意して図３に示したように配管で容器（Ａ）と（Ｂ）を接続した。容器（Ａ）、（Ｂ）の内容積はそれぞれ２５．６Ｌ、７．８Ｌであり、容器（Ａ）内には水面上に浮上する取水口（４）は装備せず、ガス拡散装置（８）として配管（７）の先端にポリエチレン粉末を焼結して製造した多孔質焼結体を装備した。また容器（Ｂ）内は空として水素発生剤は用いなかった。
【００３２】
最初に配管（６）、（９）を開として、配管(２)より水道水２０Ｌ（１）を（Ａ）に充填した。次いで容器（Ｂ）の配管（１３）を水素ボンベに接続して配管（１２）を閉とし、配管（１１）と容器（Ａ）の配管（６）を開、配管（２）と（９）のバルブを閉として水素を容器（Ｂ）から（Ａ）へ供給した。容器（Ｂ）の内圧が上昇するにつれて気体拡散装置から水素が気泡となって飲料水中へ分散する様子が容器（Ａ）からの発音で分かった。容器（Ａ）及び（Ｂ）の内圧がゲージ圧で０．１７ＭＰａになった時点で配管（１３）のバルブを閉じて水素の供給を止めた。
【００３３】
この時点を時間０として以後２０分ごとに容器（Ａ）の排水口（３）から２Ｌづつ飲料水をＰＥＴボトルに採水してその溶存水素濃度（ＤＨ）を分析して求めた。採水時に容器（Ａ）の内圧が低下するため容器（Ｂ）から容器（Ａ）へ気体拡散装置を通して水素が供給されるのが発音で観察された。最後の２００分後では１．５Ｌを採水したが内圧が０．１気圧以下まで低下して採水に時間を要した。ついで容器（Ａ）の配管（６）及び容器Ｂの配管（１１）を閉とし、容器Ａの配管（９）と容器Ｂの配管（１２）を配管（１６）で接続してそれぞれのバルブを開とした。水道の蛇口に接続した配管を（２）に接続して水道水を容器（Ａ）にその内圧が０．１７ＭＰａになるまで加圧注入した。
【００３４】
配管（１２）と（９）のバルブを閉とし、配管（１１）と（６）のバルブを開として第１回目と同様にしてこの時点を時間０として２０分間隔で排水口（３）から２Ｌづつの水素水を採水してＤＨを測定した。新規な水素の供給はせずに２０Ｌの飲料水を合計４回容器（Ａ）に再充填してその水素水のＤＨを測定した（Ｒｕｎ．１〜４）。横軸に容器（Ａ）の加圧時間、縦軸に経時的に採水した水素水のＤＨ（ｐｐｍ）の関係を図４に纏めて示した。また、採水に伴って低下する容器（Ａ）の内圧を図５にＲｕｎ．２の場合について横軸に加圧時間（分）、縦軸に内圧（ＭＰａ）を示したがその他のＲｕｎの場合もほぼ同じ低下であった。Ｒｕｎ．４の採水では最初の採水を２０分後ではなく１時間後とした。また、Ｒｕｎ．３，４ではＤＨの測定試料の数を半分に減らした。
【００３５】
図４の結果からＤＨは加圧時間と共に増加して最終の採水では第４回目の水素水でも加圧時間が長く、残液の少なくなった水素水の場合０．８ｐｐｍ以上の高濃度の水素水が得られた。また１〜３回目迄は水道水を充填後２０分で０．３ｐｐｍ近辺のＤＨを有する水素水が得られた。
【実施例２】
【００３６】
実施例１と同様にして水素水を生水した。但し、本実施例では排水口の配管（３）にシリコンゴム製のチューブ（５）を接続し、その先端に釣り道具に使用する浮を接続してフロート式取水口（４）を設けた。実施例１と同様に水素ボンベから容器（Ｂ）に水素を導入して容器（Ａ）、（Ｂ）の内圧が０．１７ＭＰａになるまで加圧して水素水の生水を開始した。図６に横軸に各２Ｌづつ採水した場合の積算採水量（Ｌ）とその時の水素水のＤＨを縦軸に示した。
【００３７】
Ｒｕｎ１６、１７は実施例１と同じくそれぞれ１回目、２回目の水道水充填の結果である。ここで２回目のＲｕｎ１７の実験で最初の２回の採水、横軸で２、４Ｌは容器（Ａ）内の気体拡散装置を経由しない状態での採水した水素水のＤＨである。即ち、配管（１１）、（６）のバルブが閉で、配管（１２）と（９）が配管（１６）で接続されてバルブが開の状態(２回目の水道水を加圧充填する時の配管状態)で採水した。これは気体拡散装置の効果を確認するために行ったもので、明らかに１回目に比べて水素水のＤＨは低く気体拡散装置はＤＨを高くする効果があることが分かった。なお、積算採水６Ｌ以降の採水からは気体拡散装置が稼働するように配管（１１）、（６）のバルブを開、配管（１２）、（９）のバルブを閉として採水を行ったが、その後の採水中の水素水のＤＨは増加した。
【００３８】
図７に同じ水素水の生水条件でフロート式取水口がない場合（Ｒｕｎ．1）とある場合（Ｒｕn.１６）でそのＤＨを比較した。明らかにＲｕｎ.１６の方が初期の２Ｌ採水から高いＤＨの水素水が得られ、且つそれ以後の採水についても高いＤＨの水素水が採水できることが分かった。
【実施例３】
【００３９】
実施例１と同じ装置で容器（Ａ）を図２に示したように台車（１０）に載せた。容器（Ａ）に水道水２０Ｌを配管（２）から注入した後、容器（Ａ）の配管（９）と容器（Ｂ）（水素発生剤は無）の配管（１２）を配管（１６）で接続してバルブを開とし、容器（Ａ）の配管（２）、（６）、容器（Ｂ）の配管（１１）を閉とした。次いで、容器（Ｂ）の配管（１３）を窒素ボンベに接続して容器（Ｂ）と（Ａ）に窒素ガスを導入して約０．１ＭＰａ迄加圧した後バルブを閉じて、配管（２）のバルブを開にして容器（Ａ）、（Ｂ）の内圧が０気圧になるまで窒素ガスをパージした。この操作を合計３回繰り返して容器（Ａ）と（Ｂ）の空間を窒素で置換した。
【００４０】
次いで、容器（Ａ）と容器（Ｂ）の配管（６）と（１１）のバルブを開、配管（２）、（９）、（１２）を閉として、容器（Ｂ）の配管（１３）を水素ボンベに接続して容器（Ｂ）と（Ａ）の内圧が０．１７ＭＰａになるまで加圧した。この時点を０時間として最初の２０分は１０分間隔で、それ以降は２０分間隔で１回に付き２Ｌの水素水を排水口から採水してそのＤＨを測定した（Ｒｕｎ．８）。但し、最初の２０分は台車を６０回／分のサイクル、振幅約１０ｃｍで水平の往復運動を台車に１分間加え、次いで２分間は休止するサイクルを繰り返して容器（Ａ）内の飲料水を攪拌した。採水時間が２０分以上では攪拌操作は中止した。また、ＤＨの測定は一部の採水については省略した。
【００４１】
９回で合計１８Ｌの水素水を採水したのち（その時の内圧は０．０１ＭＰａであった）、実施例１と同様にして水道水を蛇口の水圧を利用して容器（Ａ）へ配管（２）を通して内圧が０．１７ＭＰａになる迄注入した。この時点を時間０として第１回目の操作と同様に水素水を採水して充填２回目の水素水のＤＨを測定した（Ｒｕｎ．９）。
【００４２】
積算採水量とＤＨの関係を図８に纏めた。Ｒｕｎ．８は１回目の水道水２０Ｌで採水した水素水のＤＨ、Ｒｕｎ.９は２回目の充填水素水の結果で高いＤＨを有する水素水が得られることが分かった。また図９に攪拌の効果を明らかにするために実施例１の攪拌無の場合（１回目）と今回の往復運動での攪拌を実施した第１回目データーを比較して示した。Ｒｕｎ．１は空気と水素の混合気体、Ｒｕｎ．８は窒素と水素の混合気体であるが、実験条件としてはほぼ同じと考えられる。図から攪拌の効果が十分あり水素の加圧開始から１０分後でも０．６ｐｐｍを超える高いＤＨの水素水が得られ、且つ全体に高いＤＨの水素水が得られる事が解った。
【実施例４】
【００４３】
実施例１で用いた容器（Ａ）を図２の台車に載せて、配管（６）のバルブを閉、配管（９）のバルブを開として、配管（２）より水道水を満杯になる迄充填して全てのバルブを閉じた。配管（２）を水素ボンベに接続して、バルブを開として排水口（３）から飲料水を１３Ｌ排水した。容器（Ａ）の全容積は２５．６Ｌであるので、この状態では飲料水が１２．６Ｌ残り上部空間には１気圧の水素が充填された状態となった。排水口を閉じて更にボンベから水素を容器に供給してゲージ圧力０．２１ＭＰａとした。
【００４４】
この時点を時間０として２０分間隔で排水口から２Ｌづつ水素水を採水してそのＤＨを測定した（Ｒｕｎ．６）。但し、最初の２０分間のみ実施例３と同様に台車を水平に往復運動させて容器（Ａ）の飲料水を攪拌した。６回で１２Ｌを採取した後の容器（Ａ）の内圧は０．０６ＭＰａであった。次いで第２回目として全てのバルブを閉とし、配管（２）を水道水の蛇口に接続してバルブを開けて水道水を内圧が０．２１ＭＰａになるまで充填した。この時点を時間０として第１回目と同様にして水素水を採水してそのＤＨを測定した（Ｒｕｎ．７）。但し、最初の２Ｌの採水は１０分後に、その後２０分、４０分後と継続した。また、台車の振動は第１回目と同様に２０分迄行った。
【００４５】
結果を図１０に積算採水量とＤＨの関係を示した。採水量が２ＬのＤＨはＲｕｎ．７がＲｕｎ．６に比べて低いのは、Ｒｕｎ.７では加圧開始後１０分後の採水であるのに対して、Ｒｕｎ.６は２０分後の採水であり、加圧時間の差が影響したものと考えられる。１００％水素ガスを用いることで最初の採水時間である１０分で１ｐｐｍ前後の高いＤＨを有する水素水が得られ、またその後の採水で１．５ｐｐｍを超える高いＤＨを有する水素水が得られた。
【実施例５】
【００４６】
ポリエチレングリコールを加熱溶融しその中に水素化ホウ素ナトリウム（ＮａＢＨ４）とその加水分解触媒の塩化コバルトを添加して攪拌混合した。その混合物を冷却・固化したものを粉砕して粉末状の水素発生剤を調整した。この水素発生剤１ｇから室温で１Ｌの水素が発生することを確認した。
【００４７】
上記水素発生剤３５．３９ｇを５００ｍｌのビーカーに入れて、図３に示したように容器（Ｂ）内へ収納した。台車（９）に載せた容器（Ａ）に水道水２０Ｌを注入し、配管（２）、（６）、（１１）、のバルブを閉とし、配管（９）と（１２）を配管（１６）で接続してそれぞれのバルブを開とした。容器（Ｂ）の配管（１３）を真空ポンプに接続して容器（Ｂ），（Ａ）の空間部を−６８０ｍｍＨｇ迄真空にした。次いで配管（１３）を真空ポンプから外して、新規に配管を接続してその先端を水の入った５００ｍｌメスシリンダーの底まで挿入した。
【００４８】
配管（９）と（１２）のバルブを閉として配管（１３）のバルブを少し開いてメスシリンダー内の水３００ｍｌを少量ずつビーカー（１５）内の水素発生剤（１４）に添加した。その後バルブを閉じ、配管（１１）と（６）のバルブを開として発生剤から発生する水素を容器（Ａ）に導入した。水素発生剤と水の反応開始後約１５分で容器（Ｂ），（Ａ）の内圧は０．２１３ＭＰａで一定となった。
【００４９】
この時点を時間０として１０分、２０分その後は２０分間隔で排水口から水素水を２Ｌずつ全量１８Ｌを採水してＤＨを測定した。また、実施例３と同様に最初の２０分間は台車を水平往復運動させて容器（Ａ）内の飲料水を攪拌した。１８Ｌ採水時点での容器内の内圧は０．０１８ＭＰａであった（この実験をＲｕｎ.１０とする）。次いで配管（６）、（１１）のバルブを閉とし、配管（９）、（１２）のバルブを開として配管（２）を水道の蛇口に接続して水道水を容器（Ａ）に、その内圧が０．２１３ＭＰａになるまで注入した。
【００５０】
次に配管（９）、（１２）のバルブを閉、配管（６）、（１１）のバルブを開として、これを２回目の飲料水充填として上記１回目と同様にして水素水を採水した（Ｒｕｎ．１１）。１８Ｌの水素水を採水した時点での内圧は０．０１８ＭＰａであった。この状態で４日間放置後第３回目の飲料水充填を行い同様に水素水を採水した。このＲｕｎ．１２の実験では比較のために台車を静止状態にして水素を飲料水に溶解させた。同様にしてＲｕｎ.１３，Ｒｕｎ．１４（両者とも実施例３と同様の振動攪拌あり）と合計５回の水道水を充填して合計１８ｘ５＝９０Ｌの水素水を新規に水素を容器に充填することなく採水した。
【００５１】
Ｒｕｎ．１０〜１４の採水した水素水中のＤＨの測定結果を図１１に纏めて示した。振動攪拌をしなかったＲｕｎ.１２は攪拌を行った他の水素水よりも明らかにＤＨは低い値を示したが、初期の採水でも０．５ｐｐｍ程度のＤＨを有していた。振動させた水素水は初期の採水で１ｐｐｍ以上の高いＤＨを何れの場合も示した。従って、容器内には水素はまだ十分残存しており新規に水素を加えることなく、さらに飲料水を充填して容器を加圧することでＤＨの高い水素水を得ることが出来る。
【実施例６】
【００５２】
図１２に示した密閉容器（Ａ）と容器（Ｂ）から成る装置を用いて、容器（Ａ）に水道水を合計４６回繰り返し加圧充填して水素水を生水した。以下にその詳細を説明する。
１）容器（Ａ）への水道水の満杯充填
容器（Ａ）は内容積が約１５．５Ｌのステンレス製の円筒容器、容器（Ｂ）は内容積が約２Ｌのプラスチック製の円筒容器からなる。最初に容器（Ａ）の配管（６）のバルブを開にしてその端を開放とし、配管（２）を通して水道水を容器（Ａ）に配管（６）の端から水が溢れ出るまで注入して容器（Ａ）内を水道水で満杯として配管（６）及び（２）のバルブを閉とした。
【００５３】
２）水素発生剤の調整と容器（Ｂ）への装着
加熱溶融したＰＥＧに実施例５と同様にして水素化ホウ素ナトリウム粉末と加水分解触媒としてコハク酸を混合・撹拌して冷却固化した。この固化物を粉砕して粉末状の水素発生剤を調整した。この水素発生剤の１ｇから０．７ＮＬの水素が発生することを確認した。
この水素発生剤の所定量をビーカーに入れて容器（Ｂ）の中に挿入し容器（Ｂ）の配管（１１）と容器（Ａ）の配管（６）を耐圧製のプラスチックチューブ（１９）で接続して配管（６）のバルブを閉とし、配管（１１）のバルブを開とした。
【００５４】
３）容器（Ｂ）から容器（Ａ）への水素供給と容器（Ａ）から水の排水
容器（Ｂ）の配管（１３）を真空ポンプに連結して容器（Ｂ）内を排気して減圧状態にした。次に配管（１３）のバルブを閉じて耐圧製のプラスチックチューブを接続しその端を実施例５と同様に水の入ったメスシリンダーの底に配置した。配管（１３）のバルブを徐々に開いてメスシリンダーの水を容器（Ｂ）内へ導入して水素発生剤と反応させた。水素の発生で容器（Ｂ）のゲージ圧力が０を超えて上昇し始めると同時に、容器（Ａ）の配管（６）のバルブを開とし同時に排水口の配管（３）のバルブを開として満杯の水を容器（Ａ）から徐々に排出した。
【００５５】
４）容器（Ａ）へスプレーノズルからの加圧注水（水素水の生水１）
容器（Ａ）内の水量は容器側部に設けた液面計（１８）で計測して残液が１Ｌになった時点で排水を停止した。容器（Ａ），（Ｂ）の圧力が一定になった時点で計測したところＰｌは０．０４８ＭＰａとなった。次いで耐圧ホースを水道水蛇口に接続し水を放出しながら容器（Ａ）の配管（２０）に接続した。配管（６）のバルブを閉として、水道蛇口を開、配管（２０）のバルブを開として水道水を配管（２０）の先端に設置した加湿用のスプレーノズル（１７）を通して容器（Ａ）内へ加圧注水した。液面計が６Ｌを示した時点で注水を停止した。注水時の水道の水圧は０．４〜０．４１ＭＰａで５Ｌの水を注入するのに要した時間は約４分であった。また、液面計で６Ｌに達したときの（Ａ）容器の内圧Ｐｕは０．１２６ＭＰａであった。
【００５６】
５）生水１で生水した水素水の採水と評価
排水口の配管（３）のバルブを開き液面計のレベルが１Ｌになるまで採水を連続して行った。液面計のレベルが５．５Ｌ及び１．５Ｌの時点で採水した水を分析して溶存水素濃度ＤＨを測定した。それぞれＤＨ（１）＝２．５１ｐｐｍ（５．５Ｌ時点），ＤＨ（２）＝２．５６ｐｐｍ（１．５Ｌ時点）と高濃度の水素を含む水素水であった。またこの時のＰｌは０．０４８ＭＰａと前回の値とほぼ同じであった。
【００５７】
６）繰り返し加圧注水での水素水の生水
生水１と同じ手法で水道水の加圧注水と排水を18日間かけて合計４６回（生水１〜４６）繰り返して水素水の生水を行った。この間、生水１と同様に数点の生水において採水を行いＤＨ（１）及びＤＨ（２）の測定を行った。また、各生水ごとにＰｌ及びＰｕを測定した。これらの変化を積算採水量（５Ｌｘ生水数）に対してプロットした図を図１３、１４に示した。これらの図から外挿するとＤＨが１ｐｐｍ以上の水素水は積算採水量で約４００Ｌまで得られ、その時のＰｌ、Ｐｕはそれぞれ約０．１０、０．６５(Kg/cm2)
となる。
【産業上の利用可能性】
【００５８】
本発明の水素水の生水方法を用いることにより、安全な高濃度の水素を含む水素水が手軽に経済的に得られるため、それを飲料水として飲料することで人々の健康の維持や促進を図ることが期待できる。
【符号の説明】
【００５９】
１    飲料水
２、３、５、６、７、９、１１、１２、１３、１６、１９，２０    配管
４    フロート式取水口
８    気体拡散装置
１０  台車
１４  水素発生剤
１５  ビーカー
１７  スプレーノズル
１８  液面計
【図１】
0005416246.tif 000002
【図２】
0005416246.tif 000003
【図３】
0005416246.tif 000004
【図４】
0005416246.tif 000005
【図５】
0005416246.tif 000006
【図６】
0005416246.tif 000007
【図７】
0005416246.tif 000008
【図８】
0005416246.tif 000009
【図９】
0005416246.tif 000010
【図１０】
0005416246.tif 000011
【図１１】
0005416246.tif 000012
【図１２】
0005416246.tif 000013
【図１３】
0005416246.tif 000014
【図１４】
0005416246.tif 000015